(57)【特許請求の範囲】
【請求項１】
セグメント型素線を撚合わせたセグメント型素線撚合わせ層を複数備えてなる架空送電線において、各セグメント型素線撚合わせ層を構成するセグメント型素線間に、予め捩り加工された、または螺旋状に加工された非円形断面素線を配すると共に、隣接するセグメント型素線撚合わせ層の非円形断面素線を配した位置を架空送電線の周方向に重ね、セグメント型素線と非円形断面素線間に生じる間隙が、架空送電線の最内層から最外層まで連続する部分を設け、内部に浸入した水が速やかに排出されるようにしたことを特徴とする架空送電線。
【発明の詳細な説明】
【０００１】
【発明の属する技術分野】
本発明は、コロナ騒音を低減させる架空送電線に関する。
【０００２】
【従来の技術】
架空送電線には、円形断面素線のみを多数本撚合わせた構造のものや、円形断面素線を撚合わせその外周に断面扇型のいわゆるセグメント型素線を撚合わせた構造のものがある。
【０００３】
ところで、架空送電線は、雨などに曝されて表面に水滴が付着すると、その水滴からコロナが発生し、コロナ騒音が生じる。このコロナ騒音は、円形断面素線のみを多数本撚合わせた架空送電線よりも、セグメント型素線を撚合わせた層を備えた架空送電線の方が発生し易いことがわかっている。その理由は、セグメント型素線撚合わせ層の方が線と線との接触面積が大きく、従って、セグメント型素線撚合わせ層より内側に浸入した水が排出され難く、この水が少しづつセグメント型素線の表面に流れ出てくるため、長時間にわたりセグメント型素線の表面に水が付着し、水切れ性が悪いことによると考えられている。
【０００４】
図４は従来の架空送電線の一例の断面図である。この架空送電線は、円形断面素線１を撚り合わせ、その外周に、セグメント型素線２、３、４を撚合わせたものである。セグメント型素線３はセグメント型素線２、４よりも背の高さが高い断面形状をなし、１８０°の回転対称の位置に撚合わせられ、２本のセグメント型素線３が一本のセグメント型素線４を挟むように撚合せられている。そして、セグメント型素線３、４で生じる段差は、風の流れを乱し、風騒音を抑制する。また、セグメント型素線４の幅を長手方向に変化させ、セグメント型素線３、４間に間隙６を設け、セグメント型素線撚合せ層よりも内部に浸入した水分を排出させ、水切り性を良くしている。５はテンションメンバである。
【０００５】
【発明が解決しようとする課題】
しかしながら、上述のような間隙６を設けた架空送電線においても、水切り性は十分でなく、コロナ騒音が発生するという問題があった。
【０００６】
【課題を解決するための手段】
本発明は上記問題点を解決すべくなされたもので、セグメント型素線を撚合わせたセグメント型素線撚合わせ層を複数備えてなる架空送電線において、各セグメント型素線撚合わせ層を構成するセグメント型素線間に、予め捩り加工された、または螺旋状に加工された非円形断面素線を配すると共に、隣接するセグメント型素線撚合わせ層の非円形断面素線を配した位置を架空送電線の周方向に重ね、セグメント型素線と非円形断面素線間に生じる間隙が、架空送電線の最内層から最外層まで連続する部分を設け、内部に浸入した水が速やかに排出されるようにしたことを特徴とするものである。
【０００７】
本発明は、鋭意実験的に検討した結果到達したもので、上述のように、セグメント型素線撚合わせ層を構成するセグメント型素線間に、予め捩じり加工された、または螺旋状に加工された非円形断面素線を配すると共に、隣接するセグメント型素線撚合わせ層の非円形断面素線を配した位置を架空送電線の周方向に重ね、セグメント型素線と非円形断面素線間に生じる間隙が、架空送電線の最内層から最外層まで連続する部分を設けると、この間隙を通って、セグメント型素線撚合わせ層より内部に浸入した水が速やかに排出され、水切り性が向上し、コロナ騒音が抑制される。なお、テンションメンバの外周に撚合わせられる全素線がセグメント型素線であって、撚合わせ層がすべてセグメント型素線撚合わせ層であってもよいことはいうまでもない。
【０００８】
また、腐食性の高い環境ルートを通る架空送電線では、従来構造の電線では水切れ性が悪いため、電線内部に腐食生成物が溜まりやすく、長年の間に、これら内部腐食生成物が固化し、湿潤膨張を繰り返し、電線の腐食劣化を早め、さらに電線上に取り付けられたダンパやスぺーサなどの把持部を破壊する事例もあった。本発明では、水切れ性が良好なため、こうした不具合を確実に解消できるという利点もある。
【０００９】
【発明の実施の形態】
以下、図面に基づいて本発明の実施の形態を詳細に説明する。
図１は、本発明にかかる架空送電線に用いる非円形断面素線の一実施例の斜視図である。この非円形断面素線７は、図１に示すように、外周に３本の溝７ａが等間隔に、かつ長手方向に螺旋状に形成されたものである。
【００１０】
図２は、本発明に係る架空送電線の一実施形態の断面図である。本実施形態は、テンションメンバ５の外周にセグメント型素線２１からなる撚合わせ層を２層設けたものである。そして、各層のセグメント型素線２１間に、３角断面形状が捩じられた非円形断面素線２２を周方向に重ね、セグメント型素線２１と非円形断面素線２２間に生じる間隙が、架空送電線の最内層から最外層まで連続する部分を設けたものである。なお、外側のセグメント型素線２１からなる撚合わせ層には、風騒音を防ぐための凸条部２３ａを有するセグメント型素線２３が撚込まれている。
【００１１】
本実施形態では、非円形断面素線２２とセグメント型素線２１間に間隙が生じる。この間隙を通って、内部に浸入した水は速やかに排出され、水切り性が向上し、コロナ騒音が抑制される。
【００１２】
図３は、他の実施形態の断面図である。本実施形態は、テンションメンバ５の外周にセグメント型素線３１を撚合わせた層を３層設けたものである。そして、各層のセグメント型素線３１間に、四角断面形状が捩じられた非円形断面素線３２を周方向に重ね、セグメント型素線３１と非円形断面素線３２間に生じる間隙が、架空送電線の最内層から最外層まで連続する部分を設けたものである。なお、外側のセグメント型素線３１からなる撚合わせ層には、前記実施形態と同様に、風騒音を防ぐための凸条部３３ａを有するセグメント型素線３３が撚込まれている。
【００１３】
【発明の効果】
以上説明したように本発明によれば、水切り性が向上し、コロナ騒音が抑制されるという優れた効果がある。
【図面の簡単な説明】
【図１】  本発明に係る架空送電線に用いる非円形断面素線の一実施例の斜視図である。
【図２】  本発明に係る架空送電線の一実施形態の断面図である。
【図３】  他の実施形態の断面図である。
【図４】  従来の架空送電線の断面図である。
【符号の説明】
１                        円形断面素線
２、３、４、２１、２３、３１、３３
セグメント型素線
５                        テンションメンバ
６                        間隙
７、２２、３２            非円形断面素線
７ａ                      溝
２３ａ、３３ａ              凸条部
【図１】
0003857852.tif 000002
【図２】
0003857852.tif 000003
【図３】
0003857852.tif 000004
【図４】
0003857852.tif 000005